【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】  画像の階調の表現形式が異なる処理装置によって得られた複数種の画像データを収集し、この画像データを前記処理装置とほぼ同じ階調にするガンマ補正関数で表示変換して画面に表示させる画像処理装置であって、
前記処理装置毎の各モニタの各基準画像の濃度とその輝度とからなるモニタ特性に基づいて、その処理装置毎のガンマ補正関数を生成して前記処理装置名に対応させて記憶すると共に、前記画面のモニタ特性に基づいて当該装置のガンマ補正関数を生成して記憶するガンマカーブ生成部と、
前記処理装置毎のガンマ補正関数と前記当該装置のガンマ補正関数とにより、前記処理装置毎に、画像データを前記処理装置とほぼ同じ階調で前記画面に表示させるための修正ガンマ補正関数を生成し、これらの修正ガンマ補正関数を前記処理装置名に対応させて記憶するガンマカーブ補正部とを有することを特徴とする画像処理装置。
【請求項２】  前記ガンマカーブ補正部は、
前記当該装置のガンマ補正関数と、前記処理装置のガンマ補正関数との勾配の差を示す係数を求め、この係数を前記当該装置のガンマ補正関数に乗算して、画像データを前記処理装置とほぼ同じ階調で当該装置の前記画面に表示させるための修正ガンマ補正関数を得ることを特徴とする請求項１記載の画像処理装置。
【請求項３】  前記ガンマカーブ生成部は、
前記複数の処理装置の複数のモニタ特性の内で、それぞれ同一階調表現の所定数の処理装置のモニタ特性から最も適当なモニタ特性を所定数の処理装置毎にそれぞれ定め、該定めたそれぞれのモニタ特性のガンマ補正関数を生成し、これらのガンマ補正関数を前記所定数の処理装置に対応させて記憶することを特徴とする請求項１又は２記載の画像処理装置。
【請求項４】  被検体に画像を構成するための信号を引き出すための情報キャリアを与えて前記被検体の画像を生成する各種撮像装置にそれぞれ接続され、接続された撮像装置からの画像を画面に表示すると共に、その画像に付帯情報を付けて転送する複数の処理装置に、専用回線で結ばれた医用画像観察ネットワークに用いられるワークステーションにおいて、
前記各種撮像装置の各処理装置の各モニタ特性の入力に伴って、同一階調表現のモニタ特性を一組にして撮像装置名毎に記憶すると共に、前記ワークステーションのモニタ特性を記憶するモニタ特性収集部と、
前記モニタ特性収集部によって収集された撮像装置名毎のモニタ特性から、それぞれの撮像装置名毎のガンマ補正関数を生成し記憶すると共に、前記当該ワークステーションの画面のモニタ特性に基づいて当該装置のガンマ補正関数を生成して記憶するガンマカーブ生成部と、
前記処理装置毎のガンマ補正関数と前記当該装置のガンマ補正関数とにより、前記処理装置毎に、画像を前記処理装置とほぼ同じ階調で当該装置の画面に表示させるための修正ガンマ補正関数を生成し、これらの修正ガンマ補正関数を前記処理装置名に対応させて記憶するガンマカーブ補正部と、
前記専用回線を介して所望の撮像装置の処理装置の画像データを取り込む画像データ取込部と、
前記画像データ取込部が取り込んだ画像データの付帯情報からその画像データを得た撮像装置名を判断し、該判断した撮像装置名に対応する前記修正ガンマ補正関数を引き当てるガンマカーブ引当部と、
前記画像データを前記ガンマカーブ引当部が引き当てた修正ガンマ補正関数に基づいて階調を表示変換して画面に表示させる表示変換部とを有することを特徴とする医用画像観察ネットワークに用いられるワークステーション。
【手続補正２】
【補正対象書類名】明細書
【補正対象項目名】００１４
【補正方法】変更
【補正の内容】
【００１４】
【課題を解決するための手段】
本発明の画像処理装置は、画像の階調の表現形式が異なる処理装置によって得られた複数種の画像データを収集し、この画像データを前記処理装置とほぼ同じ階調にするガンマ補正関数で表示変換して画面に表示させる画像処理装置であって、前記処理装置毎の各モニタの各基準画像の濃度とその輝度とからなるモニタ特性に基づいて、その処理装置毎のガンマ補正関数を生成して前記処理装置名に対応させて記憶すると共に、前記画面のモニタ特性に基づいて当該装置のガンマ補正関数を生成して記憶するガンマカーブ生成部と、前記処理装置毎のガンマ補正関数と前記当該装置のガンマ補正関数とにより、前記処理装置毎に、画像データを前記処理装置とほぼ同じ階調で前記画面に表示させるための修正ガンマ補正関数を生成し、これらの修正ガンマ補正関数を前記処理装置名に対応させて記憶するガンマカーブ補正部とを有することを特徴とする。
また、前記ガンマカーブ補正部は、前記当該装置のガンマ補正関数と、前記処理装置のガンマ補正関数との勾配の差を示す係数を求め、この係数を前記当該装置のガンマ補正関数に乗算して、画像データを前記処理装置とほぼ同じ階調で当該装置の前記画面に表示させるための修正ガンマ補正関数を得ることを特徴とする。
また、前記ガンマカーブ生成部は、前記複数の処理装置の複数のモニタ特性の内で、それぞれ同一階調表現の所定数の処理装置のモニタ特性から最も適当なモニタ特性を所定数の処理装置毎にそれぞれ定め、該定めたそれぞれのモニタ特性のガンマ補正関数を生成し、これらのガンマ補正関数を前記所定数の処理装置に対応させて記憶することを特徴とする。
また、本発明の医用画像観察ネットワークに用いられるワークステーションは、被検体に画像を構成するための信号を引き出すための情報キャリアを与えて前記被検体の画像を生成する各種撮像装置にそれぞれ接続され、接続された撮像装置からの画像を画面に表示すると共に、その画像に付帯情報を付けて転送する複数の処理装置に、専用回線で結ばれた医用画像観察ネットワークに用いられるワークステーションにおいて、前記各種撮像装置の各処理装置の各モニタ特性の入力に伴って、同一階調表現のモニタ特性を一組にして撮像装置名毎に記憶すると共に、前記ワークステーションのモニタ特性を記憶するモニタ特性収集部と、前記モニタ特性収集部によって収集された撮像装置名毎のモニタ特性から、それぞれの撮像装置名毎のガンマ補正関数を生成し記憶すると共に、前記当該ワークステーションの画面のモニタ特性に基づいて当該装置のガンマ補正関数を生成して記憶するガンマカーブ生成部と、前記処理装置毎のガンマ補正関数と前記当該装置のガンマ補正関数とにより、前記処理装置毎に、画像を前記処理装置とほぼ同じ階調で当該装置の画面に表示させるための修正ガンマ補正関数を生成し、これらの修正ガンマ補正関数を前記処理装置名に対応させて記憶するガンマカーブ補正部と、前記専用回線を介して所望の撮像装置の処理装置の画像データを取り込む画像データ取込部と、前記画像データ取込部が取り込んだ画像データの付帯情報からその画像データを得た撮像装置名を判断し、該判断した撮像装置名に対応する前記修正ガンマ補正関数を引き当てるガンマカーブ引当部と、前記画像データを前記ガンマカーブ引当部が引き当てた修正ガンマ補正関数に基づいて階調を表示変換して画面に表示させる表示変換部とを有することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００６８
【補正方法】変更
【補正の内容】
【００６８】
【発明の効果】
以上のように本発明によれば、各撮像装置からの画像データを各撮像装置側での表示とほぼ同じ階調でワークステーション側で表示できるので、読影が容易であるという効果が得られる。
【手続補正１１】
【補正対象書類名】明細書
【補正対象項目名】００６９
【補正方法】削除
【補正の内容】
【手続補正１２】
【補正対象書類名】明細書
【補正対象項目名】００７０
【補正方法】削除
【補正の内容】
【手続補正１３】
【補正対象書類名】明細書
【補正対象項目名】００７１
【補正方法】削除
【補正の内容】
【手続補正１４】
【補正対象書類名】明細書
【補正対象項目名】００７２
【補正方法】削除
【補正の内容】
【手続補正１５】
【補正対象書類名】明細書
【補正対象項目名】００７３
【補正方法】削除
【補正の内容】